(57)【要約】【課題】光源の光の照射域を容易に変更すること。【解決手段】ケース本体１０の内部に画成され、商品を載置する商品載置棚１３が上下方向に沿って複数段設けられた収納室１２と、透光性材料から形成され、かつ収納室１２の上方にてケース本体１０の前面を構成する前面パネル３０と、前面パネル３０の後方域に設けられ、内蔵するＬＥＤ４２の光を照射する照明機器４０ａとを備え、商品載置棚１３に載置された商品を所望の温度に調整して陳列させるショーケースにおいて、ＬＥＤ４２の光を前面パネル３０のみに照射させる第１位置と、ＬＥＤ４２の光を前面パネル３０以外にも照射させることが可能な第２位置との間で照明機器４０ａを移動可能に支持する照明支持手段４０ｂを備えている。【選択図】図３
2018183445.tif 000002
【特許請求の範囲】
【請求項１】
ケース本体の内部に画成され、商品を載置する商品載置棚が上下方向に沿って複数段設けられた収納室と、
透光性材料から形成され、かつ前記収納室の上方にて前記ケース本体の前面を構成する前面パネルと、
前記前面パネルの後方域に設けられ、内蔵する光源の光を照射する照明手段と
を備え、
前記商品載置棚に載置された商品を所望の温度に調整して陳列させるショーケースにおいて、
前記光源の光を前記前面パネルのみに照射させる第１位置と、前記光源の光を前記前面パネル以外にも照射させることが可能な第２位置との間で前記照明手段を移動可能に支持する照明支持手段を備えたことを特徴とするショーケース。
【請求項２】
前記照明支持手段は、前記照明手段を前記第１位置に配置させる場合には、前記光源の光を前記前面パネルのみに照射させる一方、前記照明手段を前記第２位置に配置させる場合には、前記光源の光を前記前面パネル及び前記収納室に照射させることを特徴とする請求項１に記載のショーケース。
【請求項３】
前記照明支持手段は、前記第１位置と前記第２位置との間で前記照明手段を前後方向に沿って移動可能に支持することを特徴とする請求項１又は請求項２に記載のショーケース。
【発明の詳細な説明】
【技術分野】
【０００１】
本発明は、ショーケースに関するものである。
【背景技術】
【０００２】
従来、例えばスーパーマーケットやコンビニエンスストア等の店舗においては、ケース本体に画成された収納室に、販売商品を載置する商品載置棚が上下方向に沿って複数段設けられたショーケースが適用されている。
【０００３】
このようなショーケースでは、各商品載置棚に載置された商品を所望の温度に調整して陳列しており、ケース本体に形成された前面開口を通じて各商品載置棚に載置された商品が取り出されるよう構成されている。
【０００４】
またショーケースには、収納室の上方域において光源を内蔵する照明機器が設けられている。照明機器は、収納室の商品載置棚、並びに収納室の上方におけるケース本体の前面を構成する前面パネルに光源の光を照射する態様で、その照射範囲が固定された状態で設置されていた（例えば、特許文献１参照）。
【先行技術文献】
【特許文献】
【０００５】
【特許文献１】特開平５−１４６３４６号公報
【発明の概要】
【発明が解決しようとする課題】
【０００６】
ところで、上述したショーケースでは、光源の照射範囲が固定された状態で照明機器が設置されていたので、適用される店舗の環境に応じて照明機器の光の照射域を柔軟に変更することができなかった。
【０００７】
本発明は、上記実情に鑑みて、光源の光の照射域を容易に変更することができるショーケースを提供することを目的とする。
【課題を解決するための手段】
【０００８】
上記目的を達成するため、本発明に係るショーケースは、ケース本体の内部に画成され、商品を載置する商品載置棚が上下方向に沿って複数段設けられた収納室と、透光性材料から形成され、かつ前記収納室の上方にて前記ケース本体の前面を構成する前面パネルと、前記前面パネルの後方域に設けられ、内蔵する光源の光を照射する照明手段とを備え、前記商品載置棚に載置された商品を所望の温度に調整して陳列させるショーケースにおいて、前記光源の光を前記前面パネルのみに照射させる第１位置と、前記光源の光を前記前面パネル以外にも照射させることが可能な第２位置との間で前記照明手段を移動可能に支持する照明支持手段を備えたことを特徴とする。
【０００９】
また本発明は、上記ショーケースにおいて、前記照明支持手段は、前記照明手段を前記第１位置に配置させる場合には、前記光源の光を前記前面パネルのみに照射させる一方、前記照明手段を前記第２位置に配置させる場合には、前記光源の光を前記前面パネル及び前記収納室に照射させることを特徴とする。
【００１０】
また本発明は、上記ショーケースにおいて、前記照明支持手段は、前記第１位置と前記第２位置との間で前記照明手段を前後方向に沿って移動可能に支持することを特徴とする。
【発明の効果】
【００１１】
本発明によれば、照明支持手段が、光源の光を前面パネルのみに照射させる第１位置と、光源の光を前面パネル以外にも照射させることが可能な第２位置との間で照明手段を移動可能に支持するので、適用される店舗の環境に応じて光源の光の照射域を容易に変更することができるという効果を奏する。
【図面の簡単な説明】
【００１２】
【図１】図１は、本発明の実施の形態であるショーケースの内部構造を模式的に示す断面側面図である。
【図２】図２は、図１に示した前面パネルの周辺構造を拡大して示す斜視図である。
【図３】図３は、図１に示した前面パネルの周辺構造の要部を拡大して示す斜視図である。
【図４】図４は、図１に示した照明ユニットを示す斜視図である。
【図５】図５は、図１に示した照明ユニットを示す斜視図である。
【図６】図６は、図４及び図５に示した照明ユニットの要部を示す斜視図である。
【図７】図７は、図６に示した照明ユニットの要部を示す側面図である。
【図８】図８は、図４及び図５に示した照明ユニットの要部を示す斜視図である。
【図９】図９は、図６に示した照明ユニットの要部を示す側面図である。
【発明を実施するための形態】
【００１３】
以下に添付図面を参照して、本発明に係るショーケースの好適な実施の形態について詳細に説明する。
【００１４】
図１は、本発明の実施の形態であるショーケースの内部構造を模式的に示す断面側面図である。ここで例示するショーケースは、ケース本体１０を備えている。
【００１５】
ケース本体１０は、前面に開口（以下、前面開口ともいう）１１を有した直方状の断熱筐体である。このケース本体１０は、その内部に収納室１２が画成されているとともに、空気循環ユニット２０、前面パネル３０及び照明ユニット４０が設けられている。
【００１６】
収納室１２は、前面開口１１を臨む態様で画成された室であり、複数の商品載置棚１３が上下方向に沿って並べて配設されている。これら商品載置棚１３は、それぞれ商品を載置するためのものである。かかる収納室１２の底部にはデッキパン１４が配設されている。このデッキパン１４は、商品載置棚１３と同様に、商品を載置するためのものである。
【００１７】
また収納室１２の前方下部には吸込口１５が形成されているとともに、収納室１２の前方上部には吹出口１６が形成されている。吸込口１５は、収納室１２の内部空気を吸い込むための開口であり、収納室１２の左右方向に沿って延設されている。吹出口１６は、収納室１２の内部に空気を吹き出すための開口である。この吹出口１６は、収納室１２の左右方向に沿って延設されており、例えばハニカム構造の整流部材が設けられている。
【００１８】
空気循環ユニット２０は、通風路２１と循環ファン２２とを備えて構成されている。通風路２１は、吸込口１５から吹出口１６に至る空気の風路である。
【００１９】
このような通風路２１は、収納室１２の外部であってその下方に位置する下方側通風路２１ａと、収納室１２の外部であってその背面側に位置する背面側通風路２１ｂと、収納室１２の外部であってその上方にある上方側通風路２１ｃとが互いに連通された態様で構成されている。そして、通風路２１は、下方側通風路２１ａが吸込口１５に通じており、上方側通風路２１ｃが吹出口１６に通じている。
【００２０】
循環ファン２２は、図示せぬ制御手段から与えられる指令により駆動して空気を循環させるものであり、下方側通風路２１ａの所定個所に設置されている。本実施の形態においては、循環ファン２２は下方側通風路２１ａの所定個所に設置されているが、本発明では、循環ファン２２の設置個所は特に限定されるものはなく、後述する循環ファン２２の機能を発揮することができる個所であればどこに設置されても構わない。
【００２１】
このような空気循環ユニット２０においては、循環ファン２２が駆動することにより、吸込口１５を通じて収納室１２の内部空気を吸い込み、吸い込んだ空気が通風路２１を通過する態様で該空気を吹出口１６まで送出し、吹出口１６を通じて収納室１２の内部に空気を吹き出すことにより、収納室１２の内部と外部との間で空気を循環させるものである。
【００２２】
上記背面側通風路２１ｂには、蒸発器２５が設置されている。この蒸発器２５は、図示せぬ圧縮機、凝縮器及び膨張機構とともに冷媒を循環させる冷媒循環手段を構成する。ここに圧縮機は、制御手段から与えられる指令により駆動するもので、冷媒を圧縮するものである。凝縮器は、圧縮機で圧縮された冷媒を凝縮させるものである。膨張機構は、凝縮器で凝縮された冷媒を減圧して断熱膨張させ、低温低圧の状態にさせるものである。
【００２３】
蒸発器２５は、循環ファン２２が駆動することにより背面側通風路２１ｂを下方から上方に向けて通過する空気と、膨張機構で断熱膨張された低温低圧の冷媒とを熱交換させるもの、より詳細には、冷媒を蒸発させることにより背面側通風路２１ｂを通過する空気を冷却するものである。この蒸発器２５で蒸発した冷媒は、圧縮機に吸引され、該圧縮機で再び圧縮されて循環する。
【００２４】
かかるショーケースにおいては、制御手段から与えられる指令により循環ファン２２及び圧縮機を駆動させると、収納室１２の内部空気は、吸込口１５を通じて吸い込まれ、下方側通風路２１ａ及び背面側通風路２１ｂを通過して蒸発器２５に冷却され、その後に上方側通風路２１ｃを経由して吹出口１６から吹き出される。吹出口１６から吹き出された空気は、その大部分が吸込口１５に向けて流れてエアカーテンを形成し、商品載置棚１３及びデッキパン１４に載置された商品を所望の温度にまで冷却する。
【００２５】
前面パネル３０は、いわゆる電照板と称されるものであり、透光性材料から形成されたものである。この前面パネル３０は、図２及び図３に示すように、パネル基部３１と、パネル後延部３２と、パネルフック部３３とが連続して一体的に構成されている。
【００２６】
パネル基部３１は、上下方向に沿って延在する平板状部分であり、一方の面が前方を臨み、他方の面が後方を臨んでいる。パネル後延部３２は、パネル基部３１の下端縁部より後方に向けて延在する部分であり、パネル基部３１と連続する部分が湾曲している。パネルフック部３３は、パネル後延部３２の後端縁部より上方に向けて延在するフック上延部３３ａと、このフック上延部３３ａの延在端部より後方に向けて延在するフック後延部３３ｂと、このフック後延部３３ｂの延在端部より下方に向けて延在するフック下延部３３ｃとが連続して形成されて構成されている。
【００２７】
このような前面パネル３０は、パネル基部３１の上端部分がケース本体１０の天板部１０ａの前端縁部１０ａ１と取付金５０の上端部５１とにより前後に挟み込まれるように支持されるとともに、該取付金５０の傾斜部５２に左右一対となる態様で設けられたパネル支持部材６０にパネルフック部３３が支持されることで、パネル基部３１が収納室１２の上方にてケース本体１０の前面を構成する態様で設けられている。
【００２８】
図４及び図５は、それぞれ図１に示した照明ユニット４０を示す斜視図である。これら図４及び図５に示すように、照明ユニット４０は、照明機器（照明手段）４０ａと、照明支持手段４０ｂとを備えて構成されている。
【００２９】
照明機器４０ａは、左右方向が長手方向となる長尺状部材である。この照明機器４０ａの内部には、左右方向に沿って延在する基板４１（図７及び図９参照）に、光源であるＬＥＤ４２（図７及び図９参照）が左右方向に沿って所定間隔毎に設けられている。
【００３０】
照明支持手段４０ｂは、照明支持部４３と、伝達軸部４４と、操作部４５とを備えて構成されている。照明支持部４３は、左右一対となる態様で設けられており、支持本体部４３１と支持作用部４３２とを有している。
【００３１】
支持本体部４３１は、上面及び後面が開放した略直方状の形態をなしており、取付金５０の傾斜部５２における左右両端に形成された支持開口５３の縁部により後方に向けて突出する態様で設けられている。この支持本体部４３１の左右両側面には外方に向けて突出する突部４３１ａが形成されている。
【００３２】
支持作用部４３２は、下面及び後面が開放した略直方状の形態をなしており、左右幅が支持本体部４３１の左右幅よりも大きいものである。この支持作用部４３２の前端部には、支持金具４３３及びクリップ部４３４が設けられている。支持金具４３３は、照明機器４０ａの左右端部を挿通させるさせる支持孔４３３ａを有しており、該支持孔４３３ａに照明機器４０ａの左右端部を挿通させることで該照明機器４０ａを支持するものである。クリップ部４３４は、照明機器４０ａの左右端部を自身の弾性復元力にて挟持するものである。これにより、支持作用部４３２は、照明機器４０ａのＬＥＤ４２が前方に向けて所定の照射角度範囲α（例えば１４０°程度：図７及び図９参照）となるように該照明機器４０ａを支持している。
【００３３】
かかる支持作用部４３２は、左右両側面には、前後方向が長手方向となる長孔４３２ａが形成されており、かかる長孔４３２ａを支持本体部４３１の突部４３１ａが挿通することにより、該支持本体部４３１に対して上記支持開口５３を通じて前後に移動可能となる態様で支持されている。
【００３４】
また支持作用部４３２の左右両側面のうち内側には、支持片４３５が設けられている。支持片４３５は、平板状の部材であり、下面に支持ギア部４３５ａが形成されている。
【００３５】
伝達軸部４４は、左右方向が長手方向となる長尺状部材である。この伝達軸部４４は、取付金５０の傾斜部５２の後面に取り付けられた複数の軸支部材５４により、自身の中心軸回りに回転可能となる態様で支持されている。
【００３６】
このような伝達軸部４４は、左右両端部に伝達部４４１が取り付けられている。伝達部４４１は、周面に伝達ギア部４４１ａが形成されており、一部が対応する支持片４３５の支持ギア部４３５ａに噛合している。
【００３７】
操作部４５は、自身の中心にそって貫通孔４５１が形成された円板状部材である。この操作部４５は、貫通孔４５１に伝達軸部４４が貫通されることによって、該伝達軸部４４と一体的に回転可能に伝達軸部４４の中央部分に設けられている。この操作部４５は、周面の一部が取付金５０の傾斜部５２に形成された操作開口５５を通じて前方に露出する態様で設けられている。
【００３８】
以上のような構成を有するショーケースにおいては、操作開口５５より露出する操作部４５に操作力を付与し、図６に示すように、該操作部４５を左方から見て時計回りに回転させると、伝達軸部４４も中心軸回りに左方から見て時計回りに回転する。これにより、伝達部４４１と噛合する支持片４３５を有する支持作用部４３２は、前方に向けて移動し、支持本体部４３１の突部４３１ａが該支持作用部４３２の長孔４３２ａの後縁部に当接する前端位置まで移動する。このように支持作用部４３２が前端位置まで移動することで、図７に示すように、ＬＥＤ４２の光を前面パネル３０のみに照射させる第１位置まで照明機器４０ａを移動させることができる。
【００３９】
一方、操作開口５５より露出する操作部４５に操作力を付与し、図８に示すように、該操作部４５を左方から見て反時計回りに回転させると、伝達軸部４４も中心軸回りに左方から見て反時計回りに回転する。これにより、伝達部４４１と噛合する支持片４３５を有する支持作用部４３２は、後方に向けて移動し、支持本体部４３１の突部４３１ａが該支持作用部４３２の長孔４３２ａの前縁部に当接する後端位置まで移動する。このように支持作用部４３２が後端位置まで移動することで、図９に示すように、ＬＥＤ４２の光を前面パネル３０及び収納室１２に照射させる第２位置まで移動させることができる。
【００４０】
つまり、上記ショーケースにおいては、照明支持手段４０ｂが、操作部４５が操作されることにより照明機器４０ａを第１位置に配置させる場合には、ＬＥＤ４２の光を前面パネル３０のみに照射させる一方、操作部４５が操作されることにより照明機器４０ａを第２位置に配置させる場合には、ＬＥＤ４２の光を前面パネル３０及び収納室１２に照射させることができる。
【００４１】
以上説明したように、本実施の形態であるショーケースによれば、照明支持手段４０ｂが、照明機器４０ａを第１位置に配置させる場合には、ＬＥＤ４２の光を前面パネル３０のみに照射させる一方、照明機器４０ａを第２位置に配置させる場合には、ＬＥＤ４２の光を前面パネル３０及び収納室１２に照射させるので、適用される店舗の環境に応じてＬＥＤ４２の光の照射域を容易に変更することができる。これにより、ショーケースの見栄えの向上等を図ることができる。
【００４２】
以上、本発明の好適な実施の形態について説明したが、本発明はこれに限定されるものではなく、種々の変更を行うことができる。
【００４３】
上述した実施の形態では、照明支持手段４０ｂが、照明機器４０ａを第１位置に配置させる場合には、ＬＥＤ４２の光を前面パネル３０のみに照射させる一方、照明機器４０ａを第２位置に配置させる場合には、ＬＥＤ４２の光を前面パネル３０及び収納室１２に照射させるようにしていたが、本発明においては、照明支持手段は、照明手段を第２位置に配置させる場合には、光源の光を前面パネル以外にも照射させることができればよく、収納室に限られない。
【００４４】
上述した実施の形態では、照明支持手段４０ｂが、第１位置と第２位置との間で照明機器４０ａを前後方向に沿って移動可能に支持していたが、本発明においては、照明支持手段が、光源の光を前面パネルのみに照射させる第１位置と、光源の光を前面パネル以外にも照射させることが可能な第２位置との間で照明手段を移動可能に支持することができればよく、照明手段を上下方向に沿って移動可能に支持してもよいし、照明手段を所定の軸心回りに回転可能に支持してもよい。
【符号の説明】
【００４５】
１０  ケース本体
１２  収納室
１３  商品載置棚
２０  空気循環ユニット
３０  前面パネル
４０  照明ユニット
４０ａ  照明機器（照明手段）
４０ｂ  照明支持手段
４１  基板
４２  ＬＥＤ（光源）
４３  照明支持部
４４  伝達軸部
４５  操作部
【図１】
2018183445.tif 000003
【図２】
2018183445.tif 000004
【図３】
2018183445.tif 000005
【図４】
2018183445.tif 000006
【図５】
2018183445.tif 000007
【図６】
2018183445.tif 000008
【図７】
2018183445.tif 000009
【図８】
2018183445.tif 000010
【図９】
2018183445.tif 000011